(57)【要約】【課題】吸着剤が収容される変形可能な収容部材の通水面積を増やすことが可能な浄水カートリッジ、及び、水栓を提供する。【解決手段】浄水カートリッジ２０は、変形可能な収容部材（例えば外側不織布３１）、流通口部材（例えば中空糸膜ケース７０）、及び、内嵌部材５０を備える。変形可能な収容部材（３１）は、水が流通可能であり、吸着剤ＡＤ１が収容される。流通口部材（７０）は、水の流通口（例えば流出口７５）、及び、収容部材（３１）の端部３１ｂが挿入される外嵌部８０を有する。内嵌部材５０は、収容部材（３１）の内側３３に挿入され、外嵌部８０とで収容部材（３１）の端部３１ｂを挟持する。【選択図】図３
2016159255.tif 000002
【特許請求の範囲】
【請求項１】
水が流通可能であり、吸着剤が収容される変形可能な収容部材と、
水の流通口、及び、前記収容部材の端部が挿入される外嵌部を有する流通口部材と、
前記収容部材の内側に挿入され、前記外嵌部とで前記収容部材の端部を挟持する内嵌部材とを備える、浄水カートリッジ。
【請求項２】
前記内嵌部材が環状である、請求項１に記載の浄水カートリッジ。
【請求項３】
前記内嵌部材が可撓性であり、
前記流通口部材は、前記収容部材の端部が突き当たる接続部を有し、
該接続部は、少なくとも前記内嵌部材の一部が入る溝と、前記内嵌部材の内側に入って接する内接部とを有する、請求項１又は請求項２に記載の浄水カートリッジ。
【請求項４】
吐水装置と、
該吐水装置に対して着脱可能な浄水カートリッジとを備え、
該浄水カートリッジは、
水が流通可能であり、吸着剤が収容される変形可能な収容部材と、
水の流通口、及び、前記収容部材の端部が挿入される外嵌部を有する流通口部材と、
前記収容部材の内側に挿入され、前記外嵌部とで前記収容部材の端部を挟持する内嵌部材とを有する、水栓。
【発明の詳細な説明】
【技術分野】
【０００１】
本発明は、浄水カートリッジ、及び、水栓に関する。
【背景技術】
【０００２】
水栓として、活性炭と中空糸膜束とを別々に収容した浄水カートリッジを吐水ヘッドに対して交換可能に取り付けた浄水機能付き水栓が知られている。活性炭は、水道水に含まれる遊離残留塩素や有機物等の微量成分を除去する。中空糸膜は、水道水に含まれる鉄さびといった濁り成分等を除去する。例えば、変形可能な円筒状不織布の端部を中空糸膜ケースに接着剤で接着して円筒状不織布に活性炭を収容することにより浄水カートリッジを形成することができる。
【０００３】
特許文献１に示される浄水カートリッジは、複数の中空糸膜が充填された中空糸膜カートリッジと、活性炭が充填された活性炭カートリッジとを備えている。活性炭カートリッジは、有底円筒状の外ケースの内周に活性炭の通過を防止しつつ水の通過を可能とする網目状部材が設けられている。中空糸膜カートリッジと活性炭カートリッジとは、柔軟性を有し密封性が発揮される材料の接合部材で接合されている。この接合部材は、中空糸膜カートリッジ側へ突出して中空糸膜カートリッジのケースに係合する第１フックと、活性炭カートリッジ側へ突出して活性炭カートリッジの外ケースに係合する第２フックとを有している。第２フックは、外ケースの外側において外ケースの被係合凸部に係合する。
【先行技術文献】
【特許文献】
【０００４】
【特許文献１】特開２００５−２１８３６号公報
【発明の概要】
【発明が解決しようとする課題】
【０００５】
特許文献１に示される浄水カートリッジは、網目状部材の外側に有底円筒状の外ケースがあることが前提であり、網目状部材を直接、中空糸膜カートリッジのケースに接続するものではない。
変形可能な円筒状不織布の端部を中空糸膜ケースに接着剤で接着すると、接着剤が円筒状不織布の端部に染み込み、その分、円筒状不織布の通水面積が減る。
【０００６】
尚、上記のような問題は、活性炭以外の吸着剤が収容される収容部材を有する浄水カートリッジ、及び、種々の水栓にも同様に存在する。
本発明は、吸着剤が収容される変形可能な収容部材の通水面積を増やすことが可能な浄水カートリッジ、及び、水栓を提供する目的を有している。
【課題を解決するための手段】
【０００７】
本発明の浄水カートリッジは、水が流通可能であり、吸着剤が収容される変形可能な収容部材と、
水の流通口、及び、前記収容部材の端部が挿入される外嵌部を有する流通口部材と、
前記収容部材の内側に挿入され、前記外嵌部とで前記収容部材の端部を挟持する内嵌部材とを備える、態様を有する。
また、本発明は、吐水装置と前記浄水カートリッジとを備える水栓の態様を有する。
【０００８】
上記変形可能な収容部材の端部が流通口部材の外嵌部と内嵌部材とで挟持されるので、収容部材と流通口部材とを接続するための接着剤が不要となる。
【発明の効果】
【０００９】
請求項１に係る発明によれば、吸着剤が収容される変形可能な収容部材の通水面積を増やすことが可能な浄水カートリッジを提供することができる。
請求項２、請求項３に係る発明では、収容部材の端部を挟持する力が増えた好適な浄水カートリッジを提供することができる。
請求項４に係る発明では、吸着剤が収容される変形可能な収容部材の通水面積を増やすことが可能な水栓を提供することができる。
【図面の簡単な説明】
【００１０】
【図１】浄水機能付き水栓を組み込んだシステムキッチンの例を模式的に示す図。
【図２】（ａ）は浄水カートリッジを取り付けた吐水ヘッド（吐水装置）の例を一部断面視して示す図、（ｂ）は浄水カートリッジを取り付けた吐水部の例を示す斜視図。
【図３】（ａ）は浄水カートリッジの例を示す縦断面図であって指当て部を通る縦断面図、（ｂ）は浄水カートリッジの例を示す縦断面図であって指当て部を通らない縦断面図、（ｃ）は（ｂ）のＢ１部分の拡大図。
【図４】浄水カートリッジの例を示す分解斜視図。
【図５】（ａ）は吸着剤部の内側不織布に内キャップを取り付ける様子を例示する縦断面図、（ｂ）は吸着剤部の外側不織布に外キャップを取り付ける様子を例示する縦断面図。
【図６】（ａ）は中空糸膜ケースの例を示す斜視図、（ｂ）は中空糸膜ケースの例を示す縦断面図。
【図７】（ａ）は内嵌部材の例を示す図、（ｂ）は（ａ）のＡ１−Ａ１の位置における内嵌部材の断面図、（ｃ）は（ｂ）のＢ２部分の拡大図。
【図８】（ａ）は浄水カートリッジの変形例を示す縦断面図であって指当て部を通らない縦断面図、（ｂ）は（ａ）のＢ３部分の拡大図。
【図９】（ａ），（ｂ）は内嵌部材の変形例を示す図、（ｃ）は（ｂ）のＡ２−Ａ２の位置における内嵌部材の断面図。
【発明を実施するための形態】
【００１１】
以下、本発明の実施形態を説明する。むろん、以下の実施形態は本発明を例示するものに過ぎず、実施形態に示す特徴の全てが発明の解決手段に必須になるとは限らない。
【００１２】
（１）浄水カートリッジ、及び、水栓の概要：
図１〜９は、本技術の浄水カートリッジの例を示している。図１は、本技術の水栓の例を示している。尚、図１〜９は模式的に示す図であり、これらの図に示される各方向の拡大率は異なることがあり、各図は整合していないことがある。
【００１３】
図１〜３等に示す浄水カートリッジ２０は、変形可能な収容部材（例えば外側不織布３１）、流通口部材（例えば中空糸膜ケース７０）、及び、内嵌部材５０を備える。変形可能な収容部材（３１）は、水が流通可能であり、吸着剤ＡＤ１が収容される。流通口部材（７０）は、水の流通口（例えば流出口７５）、及び、収容部材（３１）の端部３１ｂが挿入される外嵌部８０を有する。内嵌部材５０は、収容部材（３１）の内側３３に挿入され、外嵌部８０とで収容部材（３１）の端部３１ｂを挟持する。図１に示す水栓１は、吐水装置（１０）と浄水カートリッジ２０とを備える。
【００１４】
上記変形可能な収容部材（３１）の端部３１ｂが流通口部材（７０）の外嵌部８０と内嵌部材５０とで挟持されるので、収容部材（３１）と流通口部材（７０）とを接続するための接着剤が不要となる。従って、上記態様は、吸着剤が収容される変形可能な収容部材の通水面積を増やすことが可能な浄水カートリッジ、及び、水栓を提供することができる。
ここで、収容部材には、不織布、織布、網、濾紙、等が含まれる。収容部材の形状には、円筒状や角筒状といった筒状等の形状が含まれる。
収容部材が変形可能であることには、収容部材が内嵌部材等により圧縮される（体積が変わる）こと、収容部材が内嵌部材等により体積変化無しに曲がること（例えば外嵌部が可撓性等を有する場合）、等が含まれる。
吸着剤には、活性炭、イオン交換体、等が含まれる。
尚、浄水カートリッジ２０の概念には、図８に示す浄水カートリッジ２０Ａが含まれる。内嵌部材５０の概念には、図９に示す内嵌部材５０Ａが含まれる。
【００１５】
前記内嵌部材５０は、環状でなくてもよいが、環状でもよい。内嵌部材５０が環状である態様は、変形可能な収容部材（３１）の内側３３に挿入される内嵌部材５０が環状であるので、内嵌部材５０が収容部材（３１）を外側へ押す力を増やすことが可能となる。従って、本態様は、収容部材の端部を挟持する力が増えた好適な浄水カートリッジ、及び、水栓を提供することができる。
【００１６】
前記内嵌部材５０は、可撓性でなくてもよいが、可撓性でもよい。前記流通口部材（７０）は、前記収容部材（３１）の端部３１ｂが突き当たる接続部７６を有してもよい。該接続部７６は、少なくとも前記内嵌部材５０の一部が入る溝７７と、前記内嵌部材５０の内側５３に入って接する内接部７８とを有してもよい。本態様は、変形可能な収容部材（３１）の内側３３に挿入される可撓性の内嵌部材５０の内側５３に入った内接部７８が内嵌部材５０の内側への撓みを抑制するので、内嵌部材５０が収容部材（３１）を外側へ押す力を増やすことが可能となる。従って、本態様は、収容部材の端部を挟持する力が増えた好適な浄水カートリッジ、及び、水栓を提供することができる。
【００１７】
（２）浄水カートリッジ、及び、水栓の具体例：
図１は、浄水機能付き水栓１を組み込んだシステムキッチンＳＹ１を模式的に示している。システムキッチンＳＹ１には、水平に延びるカウンター８０１にキャビネット８０２、凹状のシンク８０３、水栓１、等が組み込まれている。水栓１は、カウンター８０１を上下に貫通した水栓本体２、この水栓本体２に対して着脱可能な吐水ヘッド（吐水装置）１０、水栓本体２に対して傾動可能な開栓レバー３、等を備えている。吐水ヘッド１０には、水栓本体２に通されているホース１９が接続されている。ホース１９は、開栓レバー３が開いている時に図示しない給水管からの水道水を吐水ヘッド１０に供給する。水栓本体２から吐水ヘッド１０が取り外されると、水栓本体２からホース１９が引き出される。水栓本体２に吐水ヘッド１０を取り付ける時には、水栓本体２にホース１９が引き込まれる。開栓レバー３は、開位置（例えば傾動範囲の上側の位置）にある時にホース１９を介して吐水ヘッド１０へ水道水が供給されるようにし、閉位置（例えば傾動範囲の下側の位置）にある時に吐水ヘッド１０への水道水の供給を停止させる。
【００１８】
図２に示すように、吐水ヘッド１０は、先端側、すなわち、水の流下方向Ｄ１の下流側にある吐水部１１、及び、水栓本体２に対して着脱される把持部１８を有し、交換部品である浄水カートリッジ２０が組み込まれている。吐水ヘッド１０の内側において浄水カートリッジ２０の外側は、水道水が流れる水道水通路１０ａとされている。吐水部１１には、浄水カートリッジ２０との接続口１２、及び、接続口１２からの浄水を出すか水道水通路１０ａからの水道水を出すかの切替操作可能な切替レバー１５が設けられている。切替レバー１５は、浄水側（例えば回転範囲の一端側）にある時に水道水を止めて浄水を吐水部１１から吐出させ、水道水側（例えば回転範囲の他端側）にある時浄水を止めて水道水を吐水部１１から吐出させる。
【００１９】
図２に示すように、吐水部１１の上流側における端部の外周に雄ねじ１１ａが形成され、把持部１８の下流側における端部の内周に雌ねじ１８ａが形成されている。両ねじ１１ａ，１８ａを螺合することにより把持部１８を吐水部１１に取り付けることができ、雄ねじ１１ａから雌ねじ１８ａを外すことにより吐水部１１から把持部１８を取り外すことができる。
【００２０】
交換可能な浄水カートリッジ２０は、吸着剤ＡＤ１が収容された吸着剤部３０、及び、中空糸膜Ｈ１を複数束ねた中空糸膜束ＢＨ１の収容部７１を有する中空糸膜ケース（流通口部材）７０を備えている。吸着剤部３０は流下方向Ｄ１の上流側に配置され、中空糸膜ケース７０は流下方向Ｄ１の下流側に配置されている。浄水カートリッジ２０に流入した水道水は、吸着剤部３０、中空糸膜ケース７０の中空糸膜束収容部７１、の順に入り、浄化される。従って、水の流下方向Ｄ１へ吸着剤ＡＤ１と中空糸膜束ＢＨ１とが並べられていることになる。
【００２１】
中空糸膜束収容部７１は、吐水部１１に対して流下方向Ｄ１へ挿入されて取り付けられる。この時、中空糸膜束収容部７１の流出口（流通口）７５が吐水部１１の接続口１２に挿入される。浄水カートリッジ２０は、吸着剤部３０、及び、中空糸膜ケース７０の外嵌部８０が吐水部１１から出た状態で吐水部１１に固定される。浄水カートリッジ２０は、吐水部１１から流下方向Ｄ１とは反対の方向（延出方向Ｄ２）へ引き出すことにより取り外される。従って、浄水カートリッジ２０は、吐水ヘッド１０に対して着脱可能である。
【００２２】
図３，４等に示すように、吸着剤部３０は、筒状の外側不織布（収容部材）３１、外キャップ３８、筒状の内側不織布４１、内キャップ４８、及び、内嵌部材５０を有し、吸着剤ＡＤ１が収容されている。
【００２３】
吸着剤ＡＤ１には、活性炭、イオン交換体、これらの組合せ、等を用いることができる。吸着剤ＡＤ１としての活性炭には、粒状活性炭、繊維状活性炭、粉末状活性炭、これらの組合せ、等を用いることができる。活性炭は、原水に含まれる遊離残留塩素や有機物等の微量成分を除去する。吸着剤ＡＤ１としてのイオン交換体には、ゼオライト（沸石）といった無機系のイオン交換体、陽イオン交換樹脂や陰イオン交換樹脂といったイオン交換樹脂、キレート樹脂といったキレート化合物、これらの組合せ、等を用いることができる。ゼオライトや陽イオン交換樹脂は、陽イオン交換機能により金属イオンを吸着する。キレート化合物は、キレート結合で特定の金属イオンを選択的に吸着する。すなわち、ゼオライトや陽イオン交換樹脂やキレート化合物は、金属処理剤として機能する。また、イオン交換体には、粒状、繊維状、粉末状、等の形状のイオン交換体を用いることができる。
【００２４】
外側不織布３１は、円筒状に成形され、水が内外方向へ、すなわち、浄水カートリッジ２０の中心を通る仮想の軸ＡＸ１を中心とする径方向へ流通可能である。従って、吸着剤部３０は、水が流通する外側面３２を有する。外側不織布３１の下流側の端部３１ｂは、中空糸膜ケース７０の外嵌部８０に挿入されて固定される。外側不織布３１の内側３３には、吸着剤ＡＤ１が収容される。従って、外側不織布３１は、吸着剤ＡＤ１が収容される変形可能な収容部材である。このため、浄水カートリッジ２０を吐水部１１に取り付ける際に外側不織布３１を触ってしまうと、内側３３に収容された吸着剤ＡＤ１のかさ密度が局所的に変わる可能性がある。吸着剤ＡＤ１のかさ密度が局所的に変わると、水の流れがかさ密度の低い部分に偏り、通水性能が低下する可能性がある。
【００２５】
外側不織布３１の上流側の端部３１ａは、図５（ｂ）に示すように、外キャップ３８が挿入され、内側へ折り曲げられて外キャップ３８の外面３８ａに溶着される。これにより、外側不織布３１の端部３１ａの開口３１ｏが閉塞される。尚、溶着の代わりに接着剤等で外側不織布３１の端部３１ａと外キャップ３８とを接合してもよい。吸着剤部３０の上流側の端部３０ａは、外キャップ３８、及び、外側不織布３１の端部３１ａで形成される。
【００２６】
内側不織布４１は、外側不織布３１よりも細い円筒状に形成され、水が内外方向へ流通可能である。内側不織布４１の下流側の端部４１ｂは、中空糸膜ケース７０の連絡口７４に挿入されて固定される。内側不織布４１の上流側の端部４１ａは、図５（ａ）に示すように、内キャップ４８が嵌め込まれる。これにより、内側不織布４１の端部４１ａの開口４１ｏが閉塞される。内側不織布４１の外側には、吸着剤ＡＤ１が存在する。内側不織布４１の内側４３は、連絡口７４を介して中空糸膜束収容部７１の中に繋がり、吸着対象の物質が除去された水の通路となる。
【００２７】
尚、不織布３１，４１には、ポリオレフィン（例えばポリエチレン（ＰＥ）やポリプロピレン（ＰＰ））、ポリエステル、ポリアミド、ビニロン、これらの組合せ、といった熱可塑性樹脂（合成樹脂）の繊維等を用いることができる。
【００２８】
詳細な構造は後述するが、内嵌部材５０は、環状に成形され、可撓性を有する。内嵌部材５０の外側面５１には、外側へごく僅かに出た膨出部５１ｃが形成されている。内嵌部材５０は、図３に示すように、外側不織布３１の内側３３に挿入され、さらに、下流側縁部５０ｂが中空糸膜ケース７０の接続部７６の溝７７に挿入され、中空糸膜ケース７０の外嵌部８０とで外側不織布３１の下流側の端部３１ｂを挟持する。すなわち、内嵌部材５０は、吸着剤部３０の一部を兼ねている。接続部７６のうち溝７７の内側部分となる内接部７８は、内嵌部材５０の内側５３に入って接触している。図３（ｂ）のＢ１部分に対応する図３（ｃ）に示すように、外側不織布３１の端部３１ｂは、変形可能であるので、内接部７８により内側への撓みが抑制された内嵌部材５０の膨出部５１ｃにより外側３２ａの方へ圧縮され、吸着剤ＡＤ１の流出を防ぐシール性も高い。これにより、外嵌部８０と内嵌部材５０とで外側不織布３１の端部３１ｂが強固に保持される。
内嵌部材５０には、合成樹脂、可撓性を示す金属、等を用いることができる。前記合成樹脂には、アクリロニトリルブタジエンスチレン共重合体（ＡＢＳ）、アクリロニトリルスチレン共重合体（ＡＳ）、ポリオレフィン（例えばＰＥやＰＰ）、ポリスチレン（ＰＳ）、フッ素樹脂（例えばポリテトラフルオロエチレン）、熱可塑性エラストマー、これらの組合せ、といった熱可塑性樹脂等を用いることができる。
【００２９】
以上により、吸着剤部３０の下流側、すなわち、流下方向Ｄ１における端部３０ｂが中空糸膜ケース７０の外嵌部８０に保持される。
【００３０】
図３，４，６に示すように、中空糸膜ケース（流通口部材）７０は、内部空間７０ｃとなる凹部に中空糸膜束ＢＨ１が固定された本体部７０ａと、流出口（流通口）７５を有する蓋部７０ｂとを嵌め合わせた構造を有している。この構造を有する中空糸膜ケース７０は、内部空間７０ｃに中空糸膜束ＢＨ１が収容された収容部７１、外側不織布３１の下流側の端部３１ｂが突き当たる接続部７６、及び、吸着剤部３０の端部３０ｂの外嵌部８０が形成されている。
【００３１】
中空糸膜束ＢＨ１は、処理対象の水から１μｍ程度以上の細かい濁りや鉄サビや一般細菌を取り除く。中空糸膜束ＢＨ１を構成する中空糸膜Ｈ１の材質には、ポリオレフィン（例えばＰＥやＰＰ）、ポリスルホン、ポリアミド、ポリイミド、セルロース、ポリテトラフルオロエチレン、ポリフッ化ビニリデン、ポリアクリロニトリル（ＰＡＮ）、ポリエーテルスルホン（ＰＥＳ）、これらの組合せ、等を採用することができる。また、これらに酸化アルミニウム（化学量論比でＡｌ2０3）、酸化ジルコニウム（化学量論比でＺｒ０2）、酸化チタン（化学量論比でＴｉ０2）、ステンレス（ＳＵＳ）、ガラス（例えばシラス多孔質ガラス（ＳＰＧ））、といった無機材料を添加してもよい。例えば、Ｕ字状に曲げた中空糸膜Ｈ１を複数束ねた中空糸膜束ＢＨ１を閉塞端部ＢＨ１ａから本体部７０ａの凹部に挿入して開口端部ＢＨ１ｂをポッティング剤で固定し、開口端部ＢＨ１ｂを覆うように蓋部７０ｂを本体部７０ａに嵌め合わせると、中空糸膜束ＢＨ１が収容された中空糸膜ケース７０が形成される。ポッティング剤には、ホットメルトといった熱可塑性樹脂系接着剤、ウレタン樹脂系接着剤やエポキシ樹脂系接着剤やシリコーン樹脂系接着剤や不飽和ポリエステル樹脂系接着剤やフェノール樹脂系接着剤といった硬化性樹脂系接着剤、等を用いることができる。
【００３２】
中空糸膜束収容部７１には、中空糸膜束ＢＨ１の閉塞端部ＢＨ１ａに対向する連絡口７４、及び、中空糸膜束ＢＨ１の開口端部ＢＨ１ｂに対向する流出口７５が形成されている。
接続部７６には、上記連絡口７４が形成され、この連絡口７４の周りに溝７７が形成されている。図３（ｃ）に示すように、溝７７には、外側不織布３１の下流側の端部３１ｂ、及び、内嵌部材５０の一部が挿入される。接続部７６は、内嵌部材５０の内側５３に入って接する内接部７８を有している。
【００３３】
外嵌部８０は、接続部７６の外側において中空糸膜束収容部７１から吸着剤部３０側（延出方向Ｄ２）へ延出し、外側不織布３１の下流側の端部３１ｂが挿入される。外嵌部８０は、内嵌部材５０とで外側不織布３１の端部３１ｂを挟持する。従って、外嵌部８０は、吸着剤部３０の外側面３２の外側３２ａにおいて吸着剤部３０の下流側の端部３０ｂを保持する。
外嵌部８０は、軸ＡＸ１を中心とする全周にわたって中空糸膜束収容部７１から吸着剤部３０側（延出方向Ｄ２）へ短く延出した保持部８１、及び、この保持部８１から部分的に吸着剤部３０側（延出方向Ｄ２）へ延出した指当て部８５を有している。
【００３４】
保持部８１は、略円筒状に形成され、吸着剤部３０の外側面３２の外側３２ａにおいて吸着剤部３０の下流側の端部３０ｂを保持する。保持部８１の延出した長さは、内嵌部材５０とで外側不織布３１の端部３１ｂを挟持することができる長さがあればよい。吸着剤部３０の外側面３２の通水面積を極力大きくするため、本具体例の保持部８１の延出した長さは、指で掴むには短い長さとされている。
【００３５】
指当て部８５は、吸着剤部３０の外側面３２の外側３２ａにおいて互いに離隔して保持部８１から延出方向Ｄ２へ延出した第一及び第二の当て部８６，８７を含んでいる。図６（ａ）において二点鎖線で囲んだ箇所には、第一の当て部８６を含む外嵌部８０、及び、その近傍を軸ＡＸ１に直交する方向から見た図を示している。第一の当て部８６と第二の当て部８７とは、軸ＡＸ１を中心として１８０°反対側に配置されている。従って、図３（ａ）に示すように、第一の当て部８６と第二の当て部８７とは、保持部８１に挿入された吸着剤部３０を挟んで互いに１８０°反対側となる。保持部８１から延出方向Ｄ２へ延出した各当て部８６，８７の先端部８６ａ，８７ａは、軸ＡＸ１を中心とする径方向外側から見て保持部８１から遠くなるほど細くなる略半円状に形成されている。これにより、吸着剤部３０の外側を流下方向Ｄ１へ流れる水道水の抵抗が少なくなっている。
【００３６】
尚、保持部８１が吸着剤部３０の外側面３２を保持する機能を有するため、指当て部８５の内側面は、図３（ａ）に示すように吸着剤部３０の外側面３２と接触する必要は無く、吸着剤部３０の外側面３２から離隔していてもよい。
【００３７】
保持部８１から各当て部８６，８７にわたる部分の外嵌部８０の外側面８０ａには、滑り止め用の凹凸９０が形成されている。各凹凸９０には、軸ＡＸ１と直交し、且つ、軸ＡＸ１を中心として回る向きの溝が複数形成されている。
【００３８】
尚、中空糸膜ケース７０及びキャップ３８，４８には、ＡＢＳ、ＡＳ、ポリオレフィン（例えばＰＥやＰＰ）、ＰＳ、フッ素樹脂、これらの組合せ、といった熱可塑性樹脂（合成樹脂）等を用いることができる。
【００３９】
次に、図７を参照して内嵌部材５０の構造の詳細を説明する。図７（ａ）は内嵌部材５０の下流側を示し、図７（ｂ）は図７（ａ）のＡ１−Ａ１の位置における内嵌部材５０の断面を示し、図７（ｃ）は図７（ｂ）のＢ２部分を拡大して示している。図７に示す内嵌部材５０の外側面５１には、軸ＡＸ１と平行になるように設計された基部５１ａ、下流側縁部５０ｂの近傍に形成された傾斜部５１ｂ、及び、基部５１ａから外側５１ｄへごく僅かに出た膨出部５１ｃが形成されている。内嵌部材５０の内側面５２には、軸ＡＸ１と平行になるように設計された基部５２ａ、下流側縁部５０ｂの近傍に形成された下流側傾斜部５２ｂ、及び、上流側縁部５０ａの近傍に形成された上流側傾斜部５２ｃが形成されている。
【００４０】
外側面５１の傾斜部５１ｂは、下流側縁部５０ｂに向かうにつれて内側５３に向かう傾斜を有している。このため、外側不織布３１の内側３３に内嵌部材５０を挿入する際、傾斜部５１ｂにより内嵌部材５０が外側不織布３１の内側３３に誘導される。
内側面５２の下流側傾斜部５２ｂは、下流側縁部５０ｂに向かうにつれて外側５１ｄに向かう傾斜を有している。このため、中空糸膜ケース７０の溝７７に内嵌部材５０を挿入する際に下流側縁部５０ｂが溝７７の中に誘導される。
【００４１】
外側面５１の膨出部５１ｃは、中空糸膜ケース７０の外嵌部８０とで挟持している外側不織布端部３１ｂを外側５１ｄへ押圧する。外側面５１の一部にのみ膨出部５１ｃを形成することにより、外側不織布３１の端部３１ｂに加わる面圧が高まるうえ、外側不織布３１の内側３３に内嵌部材５０を挿入する時の抵抗が少なくなる。このため、浄水カートリッジ２０に内嵌部材５０を装着し易く、外側不織布３１の端部３１ｂを保持する力が強い。
内側面５２の上流側傾斜部５２ｃは、上流側縁部５０ａに向かうにつれて外側５１ｄに向かう傾斜を有している。このため、外側不織布３１の内側３３に収容される吸着剤ＡＤ１の量が増え、その分、浄水カートリッジ２０の寿命が長くなる。
【００４２】
さらに、図２，３を参照して、浄水カートリッジ２０が取り付けられた吐水ヘッド１０の水の流れを説明する。
切替レバー１５が浄水側にある時、吐水ヘッド１０の中で浄水カートリッジ２０の外側にある水道水は流出しない。図１に示すホース１９からの水道水は、図３（ａ），（ｂ）に示す矢印のように、外側不織布３１の外側面３２から内側３３へ入り、吸着剤ＡＤ１（例えば活性炭）により吸着対象の物質（例えば遊離残留塩素や有機物等の微量成分）が除去される。外側不織布内側３３の水は、内側不織布４１の内側４３へ入り、連絡口７４から中空糸膜束収容部７１の内部空間７０ｃに入る。内部空間７０ｃの水は、中空糸膜束ＢＨ１において閉塞端部ＢＨ１ａから開口端部ＢＨ１ｂへ移動し、１μｍ程度以上の細かい濁りや鉄サビや一般細菌が取り除かれる。開口端部ＢＨ１ｂからの浄水は、流出口７５から流出し、吐水部１１から吐出される。
【００４３】
切替レバー１５が水道水側にある時、浄水カートリッジ２０からの浄水は流出しない。ホース１９からの水道水は、吐水ヘッド１０の中で浄水カートリッジ２０の外側を流下方向Ｄ１へ流れ、吐水部１１から吐出される。
【００４４】
吐水ヘッド１０から使用済みの浄水カートリッジ２０を取り外す場合、まず、ねじ１１ａ，１８ａの螺合を解除する向きに把持部１８を回し、吐水部１１から把持部１８を取り外す。このとき、図２（ｂ）に示すように、吐水部１１から浄水カートリッジ２０における吸着剤部３０及び外嵌部８０が出た状態となる。次に、保持部８１から指当て部８５にわたる滑り止め用の凹凸９０に指を当てて外嵌部８０を掴み、吐水部１１から浄水カートリッジ２０を流下方向Ｄ１とは反対の方向（延出方向Ｄ２）へ引き出せばよい。吐水ヘッド１０に新しい浄水カートリッジ２０を取り付ける場合、保持部８１から指当て部８５にわたる滑り止め用の凹凸９０に指を当てて外嵌部８０を掴み、吐水部１１に流出口７５から浄水カートリッジ２０を流下方向Ｄ１へ押し込めばよい。図２（ａ）に示すように流出口７５が吐水部１１の接続口１２に挿入されると、浄水カートリッジ２０が吐水部１１に取り付けられる。
【００４５】
吐水部１１に対して浄水カートリッジ２０を着脱する際、保持部８１から部分的に吸着剤部３０側へ指当て部８５が延出しているので、吸着剤部３０を触らずに保持部８１から指当て部８５にかけて強く掴むことができる。また、指当て部８５を構成する当て部８６，８７が軸ＡＸ１を中心として互いに１８０°反対側にあるので、外嵌部８０に当てる指に力を加え易い。さらに、外嵌部８０のうち指を当てる部分に滑り止め用の凹凸９０が形成されているので、指を当てる位置が見易く、吸着剤部３０を触らず滑らないように外嵌部８０を掴むことができる。従って、容易に浄水カートリッジ２０を吐水部１１に対して着脱することができる。また、変形可能な外側不織布３１を触らずに外嵌部８０を掴むことができるので、外側不織布３１の内側３３に収容された吸着剤ＡＤ１のかさ密度が局所的に変化しないように浄水カートリッジ２０を吐水部１１に取り付けることができ、良好な通水性能が維持される。従って、本浄水カートリッジは、長寿命である。さらに、水が流通する外側不織布３１を触らずに浄水カートリッジ２０を吐水部１１に対して着脱することができるので、外側不織布３１に触れることによる不快感が生じないようにすることができる。
【００４６】
以下、図３〜７を参照して、浄水カートリッジ２０の製造方法の例を説明する。
まず、中空糸膜ケース７０の連絡口７４に内側不織布４１の端部４１ｂを挿入し、図５（ａ）に示すように内側不織布４１の上流側の端部４１ａに内キャップ４８を取り付ける。これにより、内側不織布４１の端部４１ａの開口４１ｏが閉塞され、内側不織布４１の内側４３が吸着剤ＡＤ１により浄化した水の通路となる。
【００４７】
次に、中空糸膜ケース７０の外嵌部８０から溝７７まで外側不織布３１の端部３１ｂを挿入し、内嵌部材５０を外側不織布３１の内側３３から溝７７に入れる。ここで、内嵌部材５０の外側面５１に傾斜部５１ｂが形成されているので、外側不織布３１の内側３３に内嵌部材５０が誘導され、内嵌部材５０を挿入し易い。また、内嵌部材５０の外側面５１の一部にしか膨出部５１ｃが形成されていないので、外側不織布３１の内側３３に内嵌部材５０を挿入する時の抵抗が少なく、内嵌部材５０の装着が容易である。さらに、内嵌部材５０の内側面５２に下流側傾斜部５２ｂが形成されているので、溝７７の中に内嵌部材５０の下流側縁部５０ｂが誘導され、下流側縁部５０ｂを挿入し易い。
【００４８】
内嵌部材５０の下流側縁部５０ｂが溝７７に挿入されると、変形可能な外側不織布３１の端部３１ｂは、外嵌部８０と内嵌部材５０とで挟持され、図３（ｃ）に示すように内嵌部材５０の外側面５１の膨出部５１ｃにより外側３２ａの方へ圧縮される。膨出部５１ｃが外側面５１の一部にしかないため、外側不織布端部３１ｂに加わる面圧が高い。すなわち、外嵌部８０と内嵌部材５０とで外側不織布端部３１ｂが強固に保持されるので、接着剤を使用しないで外側不織布３１と中空糸膜ケース７０とが接続される。ここで、内側不織布４１の外側であって外側不織布３１の内側３３に粒状活性炭といった吸着剤ＡＤ１を入れ、図５（ｂ）に示すように外側不織布３１の上流側の端部３１ａに外キャップ３８を挿入し、外側不織布３１の端部３１ａを内側へ曲げて外キャップ３８の外面３８ａに溶着する。これにより、外側不織布３１の端部３１ａの開口３１ｏが閉塞され、内側不織布４１の外側であって外側不織布３１の内側３３が吸着剤ＡＤ１の収容空間となり、浄水カートリッジ２０が形成される。
【００４９】
以上説明したように、変形可能な外側不織布３１の端部３１ｂが中空糸膜ケース７０の外嵌部８０と内嵌部材５０とで挟持されるので、外側不織布３１と中空糸膜ケース７０とを接続するための接着剤が不要となる。従って、本浄水カートリッジは、吸着剤が収容される変形可能な収容部材の通水面積を増やすことが可能となる。尚、接着剤としてホットメルトを使用すると、浄水カートリッジを製造するために予めホットメルトを加温する作業が必要となる。本具体例は、このような作業が不要となるので、浄水カートリッジの製造効率を向上させることができる。
【００５０】
また、外側不織布端部３１ｂが内嵌部材５０の膨出部５１ｃにより外側３２ａの方へ圧縮されるので、吸着剤ＡＤ１の流出を防ぐシール性が高い。また、成形のばらつきなどによって外側不織布３１と外嵌部８０との間に隙間ができたとしても、外側不織布３１が変形可能なので、内嵌部材５０によって外側不織布３１の端部３１ｂを外嵌部８０に押し付けることができる。従って、外嵌部８０と内嵌部材５０とで外側不織布端部３１ｂが強固に保持される。さらに、吸着剤ＡＤ１の流出を防ぐ内嵌部材５０が吸着剤ＡＤ１を収容する部位の一部を兼ねているので、浄水カートリッジのコストが安くなる。
【００５１】
（３）変形例：
本発明は、種々の変形例が考えられる。
例えば、浄水カートリッジを設けた水栓は、システムキッチン以外の場所に設けられてもよい。
吐水装置は、浄水と水道水を切替可能な吐水ヘッド以外にも、浄水のみを吐出する吐水ヘッド等でもよい。
流下方向へ並べられる吸着剤及び中空糸膜束は、吸着剤が上流側で中空糸膜束が下流側であることが好ましいものの、中空糸膜束が上流側で吸着剤が下流側でもよい。
流通口部材は、上記中空糸膜ケース７０以外にも、中空糸膜束を収容せずに流通口を有する部材等でもよい。流通口は、水の流出口以外にも、水の流入口でもよい。
滑り止め用の凹凸は、中空糸膜ケースの外側面において保持部から指当て部にわたる部分に形成される以外にも、保持部に形成されず指当て部にのみ形成されてもよいし、指当て部に形成されず保持部にのみ形成されてもよい。滑り止め用の凹凸９０の溝は、軸ＡＸ１と直交する向きからずれた向きでもよい。
【００５２】
第一及び第二の当て部は、浄水カートリッジの中心を通る仮想の軸ＡＸ１を中心として１８０°反対側に配置されてもよいし、軸ＡＸ１を中心として１２０°の間隔を空けて配置される等、１８０°反対側ではない箇所に配置されてもよい。
指当て部は、互いに離隔して保持部から吸着剤部側へ延出した複数の部位以外にも、一つに繋がった部位でもよい。また、指当て部は、軸ＡＸ１を中心として互いに離隔した３以上の当て部を含んでもよい。さらに、指当て部が無い流通口部材を備える浄水カートリッジ、滑り止め用の凹凸が無い流通口部材を備える浄水カートリッジ、等も、本技術に含まれる。
【００５３】
内嵌部材の形状は、環状以外にも、環の一部を欠いた形状、内側不織布４１を貫通させる穴を有するプレート形状、等でもよい。内嵌部材がプレート形状である場合、内側への撓みが抑制される。従って、吸着剤ＡＤ１の流出を防ぐシール性が高く、外嵌部８０と内嵌部材５０とで外側不織布端部３１ｂが強固に保持される。
【００５４】
流通口部材の溝には、収容部材の端部と内嵌部材の端部の両方が挿入される以外にも、収容部材の端部が挿入されず内嵌部材の端部のみが挿入されてもよい。
図８（ａ）は、変形例に係る浄水カートリッジ２０Ａを示す縦断面であって指当て部８５を通らない縦断面を示している。図８（ｂ）は、図８（ａ）のＢ３部分を拡大して示している。浄水カートリッジ２０Ａの中空糸膜ケース７０の溝７７には、外側不織布３１の端部３１ｂが挿入されず内嵌部材５０の下流側縁部５０ｂが挿入されている。接続部７６のうち溝７７の内側部分となる内接部７８は、内嵌部材５０の内側５３に入って接触している。内嵌部材５０の膨出部５１ｃは、溝７７から出ている。外側不織布端部３１ｂは、内接部７８により内側への撓みが抑制された内嵌部材５０の膨出部５１ｃにより外側３２ａの方へ圧縮される。従って、本変形例も、吸着剤ＡＤ１の流出を防ぐシール性が高く、外嵌部８０と内嵌部材５０とで外側不織布端部３１ｂが強固に保持される。
【００５５】
内嵌部材自体にも、内側への撓みを抑制する構造を形成してもよい。
図９（ａ）は、変形例に係る内嵌部材５０Ａの外観を示している。図９（ｂ）は、内嵌部材５０Ａの下流側を示している。図９（ｃ）は、図９（ｂ）のＡ２−Ａ２の位置における内嵌部材５０Ａの断面を示している。内嵌部材５０Ａにおいて中空糸膜ケース７０の溝７７に入らない部分の内側５３には、複数の縦枠部５８ａと複数の横枠部５８ｂとが直交（交差）した格子５８が形成されている。外側不織布端部３１ｂは、格子５８により内側への撓みが抑制された内嵌部材５０Ａの膨出部５１ｃにより外側３２ａの方へ圧縮される。従って、本変形例も、吸着剤ＡＤ１の流出を防ぐシール性が高く、外嵌部８０と内嵌部材５０Ａとで外側不織布端部３１ｂが強固に保持される。
【００５６】
以上のことから、中空糸膜ケース７０に溝７７が無くても、内嵌部材５０Ａは、格子５８により内側への撓みが抑制され、膨出部５１ｃが外側不織布端部３１ｂを外側３２ａの方へ圧縮する。従って、この場合も、吸着剤ＡＤ１の流出を防ぐシール性が高く、外嵌部８０と内嵌部材５０Ａとで外側不織布端部３１ｂが強固に保持される。
【００５７】
（４）結び：
以上説明したように、本発明によると、種々の態様により、吸着剤が収容される変形可能な収容部材の通水面積を増やすことが可能な浄水カートリッジ、水栓、等の技術を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００５８】
１…水栓、
１０…吐水ヘッド（吐水装置）、１０ａ…水道水通路、
１１…吐水部、１２…接続口、１５…切替レバー、
１８…把持部、１９…ホース、
２０，２０Ａ…浄水カートリッジ、
３０…吸着剤部、３０ａ，３０ｂ…端部、
３１…外側不織布（収容部材）、３１ａ，３１ｂ…端部、
３２…外側面、３２ａ…外側、３３…内側、
３８…外キャップ、３８ａ…外面、
４１…内側不織布、４１ａ，４１ｂ…端部、４３…内側、４８…内キャップ、
５０，５０Ａ…内嵌部材、５０ａ…上流側縁部、５０ｂ…下流側縁部、
５１…外側面、５１ａ…基部、５１ｂ…傾斜部、５１ｃ…膨出部、５１ｄ…外側、
５２…内側面、５２ａ…基部、５２ｂ…下流側傾斜部、５２ｃ…上流側傾斜部、
５３…内側、５８…格子、５８ａ…縦枠部、５８ｂ…横枠部、
７０…中空糸膜ケース（流通口部材）、
７０ａ…本体部、７０ｂ…蓋部、７０ｃ…内部空間、
７１…収容部、７４…連絡口、
７５…流出口（流通口）、
７６…接続部、７７…溝、７８…内接部、
８０…外嵌部、８０ａ…外側面、８１…保持部、
８５…指当て部、８６，８７…当て部、８６ａ，８７ａ…先端部、
９０…滑り止め用の凹凸、
ＡＤ１…吸着剤、
ＢＨ１…中空糸膜束、ＢＨ１ａ…閉塞端部、ＢＨ１ｂ…開口端部、
Ｄ１…流下方向、Ｄ２…延出方向、
Ｈ１…中空糸膜。
【図１】
2016159255.tif 000003
【図２】
2016159255.tif 000004
【図３】
2016159255.tif 000005
【図４】
2016159255.tif 000006
【図５】
2016159255.tif 000007
【図６】
2016159255.tif 000008
【図７】
2016159255.tif 000009
【図８】
2016159255.tif 000010
【図９】
2016159255.tif 000011